(57)【要約】  本明細書中の実施形態はセキュア荷物配達及び引取システムを提供する。システムは、配達又は引取に向けられる荷物を収容するための幾つかの折り畳み式保管コンパートメントを有する防犯ドアを備える。コンパートメントの大きさは、異なる大きさ及び重さの荷物を収容するよう構成される。システムは、電子キー生成、生体識別、ＲＦＩＤ、ビデオカメラ等の安全対策を用いることによって無人の場所における荷物の安全な配達及び返送集荷を可能にする。ユーザは、コンピューティングデバイス上にダウンロードされたモバイルアプリケーションを介して遠隔で配達及び集荷行動を監視することが容易となる。システムは設置するのが容易であり、盗難又は気象条件による損害からの荷物の保護を提供する。システムは、ユーザがセキュアドアを介して建物にアクセスするため及び保管コンパートメントの使用のために、所定期間、他のユーザとセキュア電子キーを共有することを可能にする。
2019531844.tif 000002
【特許請求の範囲】
【請求項１】
セキュア荷物配達及び引取システムであって、
フレームを備える防犯ドアであって、前記フレームは建物の任意の堅い表面に取り付けるために構成され、前記防犯ドアは前記ユーザの検証成功後に前記建物へのアクセスを提供するために構成される、フレームを備える防犯ドアと、
前記防犯ドアの前記フレームに取り付けられる１つ以上の折り畳み式保管コンパートメントであって、各折り畳み式保管コンパートメントは配達又は返送集荷に向けられた１つ以上の荷物を収容するために構成され、各保管コンパートメントは１つ以上の荷物を収容するよう伸縮式に互いへ摺動するよう設計される開口端を有する一連の四面金属製ボックスを備え、前記コンパートメントの両開口端はそれぞれ前記１つ以上の荷物の配達及び受け取りのためにコンパートメントドアを用いてセキュリティ保護され、前記一連の四面金属製ボックスは、前記保管コンパートメントの最大保管サイズを達成するよう前記フレームの長さと垂直方向に延在するため、及び、前記保管コンパートメントの最小サイズを達成するよう互いの内部に収縮するために構成され、各折り畳み式保管コンパートメントは、延在状態及び折り畳み状態において前記保管コンパートメントへ強度及び支持を提供するための前記保管コンパートメントの外側の外部フランジと前記保管コンパートメントの内側の内部フランジとを備える、１つ以上の折り畳み式保管コンパートメントと、
前記フレーム上に取り付けられる電子ユニットであって、無人の場所において前記１つ以上の荷物の安全な配達又は返送集荷のために前記１つ以上の保管コンパートメントの操作を電子的に制御するために構成される、電子ユニットと、を備える、
セキュア荷物配達及び引取システム。
【請求項２】
更に、クラウドベースサーバであって、
前記防犯ドア及び前記防犯ドアに設けられる前記１つ以上の保管コンパートメントを操作するために前記システムに１人以上のユーザを登録するために構成される登録モジュールであって、前記１人以上のユーザは複数のユーザ詳細及び各ユーザに関連する１つ以上のスマートフォンの詳細を用いて前記システムに登録され、前記１つ以上のユーザ詳細は、氏名、住所、連絡先番号、及び生体データを備える、登録モジュールと、
前記複数のユーザ詳細、前記システムに登録される各ユーザに関連する前記１つ以上のスマートフォンの前記詳細、及びセキュアドアのＧＰＳ座標を格納するために構成される格納ユニットと、
適切な保管コンパートメントへの前記１つ以上の荷物の前記配達及び引取行動を追跡するために構成される追跡モジュールと、
前記コンパートメントドアを操作するために前記ユーザと配達人との間で交換するための電子キーを生成するために構成される電子キー生成モジュールと、
前記荷物の成功した配達又は引取時に前記１人以上のユーザへ自動通知を送信するために構成される通知モジュールと、を備えるクラウドベースサーバを備える、請求項１に記載のシステム。
【請求項３】
前記電子ユニットは、制御ユニット、トランシーバユニット、デジタルディスプレイ、１つ以上のカメラ、スキャナユニット、１つ以上のセンサ、及び電源ユニットを備える、請求項１に記載のシステム。
【請求項４】
前記トランシーバユニットは、前記防犯ドア又は個々のコンパートメントを操作するための前記サーバにより検証するよう前記ユーザによって入力される電子キーを伝送するために構成され、前記トランシーバユニットは、更に、１つ以上のセンサを用いて取得した前記情報を伝送するために構成される、請求項１に記載のシステム。
【請求項５】
前記制御ユニットは、前記セキュア電子キーの検証成功後に適切な保管コンパートメントドアの開閉操作を制御するために構成される、請求項１に記載のシステム。
【請求項６】
前記デジタルディスプレイは、前記ユーザによって記録されるビデオメッセージを配達人へ表示する、又はその逆のために構成される、請求項１に記載のシステム。
【請求項７】
前記１つ以上のカメラは、セキュリティのために１日のうちの任意の時間の間、モーションセンサを用いて任意の動きを検出した後、前記防犯ドア近傍の行動を記録するために構成される、請求項１に記載のシステム。
【請求項８】
前記スキャナユニットは、セキュリティのために小包のＲＦＩＤタグ及び各セキュアドアに登録されている前記１人以上のユーザの生体データを走査するために構成される、請求項１に記載のシステム。
【請求項９】
前記１つ以上のセンサは前記防犯ドア周囲の複数のパラメータを検知するために構成され、前記複数のパラメータは、前記防犯ドア近傍の動き検出、前記防犯ドアに近接して存在する前記スマートフォンのＩＭＥＩ番号、煙、及び火災を備える、請求項１に記載のシステム。
【請求項１０】
前記電源ユニットは、１つ以上の充電式バッテリを用いて前記防犯ドアの操作に必要とされる電力を供給するために構成される、請求項１に記載のシステム。
【請求項１１】
更に、前記電子キーの検証成功後に前記防犯ドアを介するキーレスエントリを備える、請求項１に記載のシステム。
【請求項１２】
更に、前記１つ以上の保管コンパートメントの拡張及び収縮のための１つ以上の多段アクチュエータ及び支持ガイドを備え、各保管コンパートメントの前記拡張及び収縮のために用いられる動力源は、動力源により手動又は自動のいずれか一方で拡張及び収縮される、請求項１に記載のシステム。
【請求項１３】
前記防犯ドア内に設けられる前記１つ以上の保管コンパートメントは、異なる大きさ及び重さの１つ以上の荷物を収容するために体積又は容量を増加又は減少させるようカスタマイズされる、請求項１に記載のシステム。
【請求項１４】
前記システムは１つ以上のモノのインターネット（ＩＯＴ）ＩＯＴ装置を接続するための拡張可能プラットフォームを備え、１つ以上の外部ＩＯＴ装置は、カメラ、１つ以上のセンサ、通信モジュールを備える、請求項１に記載のシステム。
【請求項１５】
前記１つ以上の保管コンパートメントは、更に、高温又は冷蔵製品をそれぞれ格納するための高温及び低温ボックスを備える、請求項１に記載のシステム。
【請求項１６】
更に、前記ユーザのスマートフォンにインストールするモバイルアプリケーションを備え、前記モバイルアプリケーションは、前記ユーザが遠隔で前記荷物配達又は集荷行動を追跡することを可能にするため、１つ以上のＩＯＴ装置から取得される情報を閲覧するため、ユーザを追加／削除すること等の管理行動のため、及びセキュア電子キーを前記制御ユニットと交換するために構成される、請求項１に記載のシステム。
【請求項１７】
更に、前記セキュアドアを介して前記建物にアクセスするため及び前記１つ以上の保管コンパートメントの使用のために、所定期間、他のユーザと共有されるセキュア電子キーを備える、請求項１に記載のシステム。
【請求項１８】
前記ユーザに提供される前記モバイルアプリケーションは、前記ユーザが遠隔地からワイヤレスに前記セキュアドア又は前記個々のコンパートメントを施錠又は解錠することを可能にするために構成される、請求項１に記載のシステム。
【発明の詳細な説明】
【技術分野】
【０００１】
関連出願の相互参照
本明細書中の実施形態は、２０１６年８月８日に出願された米国仮特許出願第６２／３７１，９７６号明細書、発明の名称「ｅＤＯＲ」の優先権を主張するものであり、その内容の全てを本明細書中に引用して含む。
【背景技術】
【０００２】
本明細書中の実施形態は、一般に、荷物配達システムの分野に関する。本明細書中の実施形態は、特に、無人の場所における荷物の安全な配達のためのシステムに関する。本明細書中の実施形態は、より詳細には、荷物の受け取り、保管、及び返送集荷のための電子ドアが装着された電子ボックス又はセキュリティ保護された自動式容器に関する。
【０００３】
近年における電子商取引の到来により、製品の宅配がますます一般的となっている。配達人はユーザへの荷物を配達する仕事に割り当てられている。サービスは、ユーザが荷物の配達を受領する場合に完了する。しかし、配達プロセスを完了させることにおいて配送業者の能力に影響を及ぼす様々な状況、特に、個人が配達される荷物を受領することができない場合が存在する。幾つかの場合において、配送業者は、たとえユーザが受領することができないとしても、荷物を置いて立ち去ることが認められている。荷物はユーザの住居又は勤務先の住所に放置される。これは常に、荷物の盗難又は気象条件による損害の危険を伴う。
【０００４】
従って、配達人は、安全性の理由から、ユーザが荷物を受け取ることができる場合にのみ荷物を配達するよう指導されている。配達は、荷物の受領を確認するようユーザの署名を得ることによって確認される。配送業者は、ユーザによって受領されない限り、荷物を置いて立ち去らないよう指導されている。配送業者は、ユーザが荷物を受領することができない場合に後で荷物を配達するよう試みる必要がある。何回かの後続の試みの後であっても、幾つかの場合においては、配達が成功しない。これは結果として、荷物の配達遅延を生じるか、又は、荷物は、配達時に成功しなかった試みのため、差出人／販売元へ返送される。これは、繰り返される配達試行失敗及び返送される商品によって、ユーザにとっての不便と販売元／配送業者に対しての追加コストとを生じさせる。
【０００５】
更に、幾つかの場合において、ユーザは特定の引出し口において製品を引き取る選択肢が提供される。しかし、かかる場所は常にユーザの近所ではなく、故に、追加コストを伴う。従って、この選択肢はユーザに対して代替の利便性を提供しない。同様に、引取物を返送するために、ユーザは自身で荷物を販売元へ送付する必要があるか、又は、特定の日時にそれをドアの外に置き、返送集荷のために配達人の訪問時間に荷物の入手可能性を保証しなければならない。従って、荷物は常に盗難又は損害の危険にある。その上、食料雑貨品、食品、及び医薬品等の幾つかの製品は、長時間放置されると腐敗するため、配送の際には、かかる製品の保温又は冷蔵が直ちに必要となる。
【０００６】
故に、無人の場所における荷物の配達及び引取のための安全で便利な選択肢の必要性が存在する。また、様々な大きさ及び重さの荷物の配達及び引取のためのモジュラーシステムの必要性も存在する。更に、荷物の受領、保管、及び引取のための電子ドアを有する自動式容器の必要性が存在する。
【０００７】
上に述べた短所、欠点、及び問題は本明細書中で対処され、それは以下の明細書を通読し、研究することによって理解されるであろう。
【発明の概要】
【発明が解決しようとする課題】
【０００８】
本明細書中の実施形態の主な目的は、無人の場所における荷物の配達及び引取のための安全で便利な選択肢を提供することにある。
【０００９】
本明細書中の実施形態の別の目的は、様々な大きさ及び重さの荷物の配達及び引取のためのモジュラーシステムを提供することにある。
【００１０】
本明細書中の実施形態の更に別の目的は、荷物の受け取り、保管、及び集荷のための電子ドアを有する自動式商品容器又は金庫を提供することにある。
【００１１】
本明細書中の実施形態の更に別の目的は、盗難及び天候による損害から荷物を保護する自動式荷物容器ドアを提供することにある。
【００１２】
本明細書中の実施形態の更に別の目的は、入口ドア、壁、フェンス等に設置するのが容易な自動式荷物容器ドアを提供することにある。
【００１３】
本明細書中の実施形態の更に別の目的は、食品、食料雑貨品、医薬品、私物品、ドライクリーニング品等を含む複数の製品の配達のための１つ以上のコンパートメントを備える自動式荷物容器ドアを提供することにある。
【００１４】
本明細書中の実施形態の更に別の目的は、荷物の引取又は配達に関してユーザに通知するための自動通知機能を提供するセキュア荷物配達及び引取システムを提供することにある。
【００１５】
本明細書中の実施形態の更に別の目的は、配達又は引取後に個々のコンパートメントの自動施錠又は解錠を容易にするセキュリティ保護されたドアを提供することにある。
【００１６】
本明細書中の実施形態の更に別の目的は、ドアに設けられる複数のコンパートメントを施錠及び解錠するようリモートアクセスのための電子キーの共有を容易にするセキュア荷物配達及び引取システムを提供することにある。
【００１７】
本明細書中の実施形態の更に別の目的は、それぞれ低温並びに高温製品の配達のための冷凍ボックス及び高温ボックスを有する別個のコンパートメントを備える自動式荷物容器とのドアを提供することにある。
【００１８】
本明細書中の実施形態の更に別の目的は、ユーザのニーズ及び入力に基づいて多種多様の構成及び大きさに達する自動式荷物容器とのドアを提供することにある。
【００１９】
本明細書中の実施形態の更に別の目的は、住宅又は商業用建物における任意の種類の入口ドアと設置するのが容易な自動式荷物容器を提供することにある。
【００２０】
本明細書中の実施形態の更に別の目的は、ＲＦＩＤ、キーパッドを用いるパスワード、生体識別、虹彩スキャン等のような強化されたセキュリティ機能をユーザに提供するセキュア荷物配達及び引取システムを提供することにある。
【００２１】
本明細書中の実施形態の更に別の目的は、荷物配達及び引取関連情報を提供するためのユーザのモバイル装置にダウンロードされた関連するモバイルアプリケーションを備えるセキュア荷物配達及び引取システムを提供することにある。
【００２２】
本明細書中の実施形態の更に別の目的は、遠隔地を形成する荷物配達及び引取行動を管理するため、家族、友人、サービス／配達担当者等の他のユーザをシステムに登録するため、個々のユーザのために様々なアクセス権の度合いを構成するため、モバイルアプリケーションをユーザへ提供することにある。
【００２３】
本明細書中の実施形態の更に別の目的は、登録後、ユーザの家族又は友人によって、及び、電子キーを共有する時、サービス又は配達担当者によって操作可能な自動式荷物容器との電子ドアを提供することにある。
【００２４】
本明細書中の実施形態の更に別の目的は、ユーザ、ユーザのスマートフォン、配達人及び荷物追跡に関する複数の詳細を格納するための関連するクラウドストレージシステムを備えるセキュア荷物配達及び引取システムを提供することにある。
【００２５】
本明細書中の実施形態の更に別の目的は、特定のコンパートメント又は任意の他の利用可能な空のコンパートメントを開けるために生成され、用いられる電子キーを備えるセキュア荷物配達及び引取システムを提供することにある。
【００２６】
本明細書中の実施形態の更に別の目的は、全てのコンパートメントの施錠又は解錠がスマートフォン又はパーソナルコンピュータ（ＰＣ）を介して遠隔で認定ユーザによって行われるセキュア荷物配達及び引取システムを提供することにある。
【００２７】
本明細書中の実施形態の更に別の目的は、間違った配達の可能性を避けるよう、セキュア電子ドア（ｅ−ドア）の正確なＧＰＳ座標及び電子キーを配達／引取担当者と共有するセキュア荷物配達及び引取システムを提供することにある。
【００２８】
本明細書中の実施形態の更に別の目的は、電源障害の場合に容器ドアの電源を投入するための内蔵ワイヤレス電力システムを備える自動式荷物容器とのドアを提供することにある。
【００２９】
本明細書中の実施形態の更に別の目的は、自動式荷物容器と、カメラ、センサ、通信モジュール等のような外部ＩＯＴ装置と接続するための内蔵ＩＯＴ拡張可能プラットフォームとを備える電子ドアを提供することにある。
【００３０】
本明細書中の実施形態の更に別の目的は、自動式荷物容器とのドアであって、周囲の行動を取得するための内蔵外側及び内側高解像度（ＨＤ）並びに暗視カメラを備えるドアを提供することにある。
【００３１】
本明細書中の実施形態の更に別の目的は、ドアの近くに来る任意のユーザの国際携帯電話加入者識別（ＩＭＳＩ）番号を記録することによって強化されたセキュリティ機能を有するセキュア荷物配達及び引取システムを提供することにある。
【００３２】
本明細書中の実施形態の更に別の目的は、追加の機能を提供し、セキュリティを強化するよう、ユーザが遠隔で制御ユニットのソフトウェアを更新することを可能にするセキュア荷物配達及び引取システムを提供することにある。
【００３３】
本明細書中の実施形態のこれら及び他の目的及び利点は、添付図面と併せて理解される以下の詳細な説明から容易に明らかとなるであろう。
【課題を解決するための手段】
【００３４】
本明細書中の実施形態のこれら及び他の態様は、以下の説明及び添付図面と共に考慮する場合に正しく良好に認識され、理解されるであろう。しかし、以下の説明は、好ましい実施形態及びそれらの多数の特定の詳細を示す一方で、例示として与えられ、制限するものではないことを理解されたい。多くの変更及び修正は、本明細書中の実施形態の適用範囲内で、その精神から逸脱することなく行われてもよく、本明細書中の実施形態は全てのかかる修正を含む。
【００３５】
本明細書中の様々な実施形態はセキュア荷物配達及び引取システムを提供する。システムはフレームを備える防犯ドアを備える。フレームは建物の任意の堅い表面に取り付けるために構成される。防犯ドアはユーザの検証成功後に建物へのアクセスを提供するために構成される。防犯ドアはフレームに取り付けられる１つ以上の折り畳み式コンパートメントを備える。各折り畳み式コンパートメントは配達又は返送集荷に向けられた、１つ以上の荷物を収容するために構成される。各コンパートメントは１つ以上の荷物を収容するよう伸縮式に互いへ摺動するよう設計された開口端を有する一連の四面金属製又は木製ボックスを備える。コンパートメントの両開口端は、それぞれ、１つ以上の荷物の配達及び受け取りのためにコンパートメントドアを用いてセキュリティ保護されている。一連の四面金属製又は木製ボックスは、コンパートメントの最大保管サイズを達成するようフレームの長さと垂直方向に延在するため、及び、コンパートメントの最小サイズを達成するよう互いの内部に収縮するために構成される。各折り畳み式コンパートメントは、延在及び折り畳み状態においてコンパートメントへ強度及び支持を提供するためのコンパートメントの外側の外部フランジ及びコンパートメントの内側の内部フランジを備える。防犯ドアは、更に、フレーム上に取り付けられる電子ユニットを備える。電子ユニットは、無人の場所において１つ以上の荷物の安全な配達又は返送集荷のために１つ以上のコンパートメントの操作を電子的に制御するために構成される。
【００３６】
本明細書中の一実施形態によれば、システムは、更に、防犯ドア及び防犯ドアに設けられる１つ以上のコンパートメントを操作するためにシステムに１人以上のユーザを登録するために構成される登録モジュールを備えるクラウドベースサーバを備える。１人以上のユーザは、複数のユーザ詳細及び各ユーザに関連する１つ以上のスマートフォンの詳細を提供することによってシステムに登録される。１つ以上のユーザ詳細は、氏名、住所、連絡先番号、及び生体データを備える。サーバは、また、複数のユーザ詳細、システムに登録される各ユーザに関連する１つ以上のスマートフォンの詳細、及びセキュリティ保護されたドアのＧＰＳ座標を格納するために構成される格納ユニットも備える。サーバは、更に、適切なコンパートメントへの１つ以上の荷物の配達及び引取行動を追跡するために構成される追跡モジュールを備える。サーバは、また更に、コンパートメントドアを操作するためにユーザと配達人との間で交換するための電子キーを生成するために構成される電子キー生成モジュールを備える。サーバは、また更に、荷物の成功した配達又は引取時に１人以上のユーザへ自動通知を送信するために構成される通知モジュールを備える。
【００３７】
本明細書中の一実施形態によれば、電子ユニットは、制御ユニット、トランシーバユニット、デジタルディスプレイ、１つ以上のカメラ、スキャナユニット、１つ以上のセンサ、及び電源ユニットを備える。
【００３８】
本明細書中の一実施形態によれば、トランシーバユニットは、ドア又は個々のコンパートメントを操作するためのサーバにより検証するようユーザによって入力された電子キーを伝送するために構成される。トランシーバユニットは、更に、１つ以上のセンサを用いて取得した情報を伝送するために構成される。
【００３９】
本明細書中の一実施形態によれば、制御ユニットは、セキュア電子キーの検証成功時に適切なコンパートメントドアの開閉操作を制御するために構成される。
【００４０】
本明細書中の一実施形態によれば、デジタルディスプレイは、ユーザによって記録されたビデオメッセージを適切な配達人へ表示する、又はその逆のために構成される。
【００４１】
本明細書中の一実施形態によれば、１つ以上のカメラは、セキュリティのために１日のうちの任意の時間の間、モーションセンサを用いて任意の動きを検出する時、防犯ドア近傍の行動を記録するために構成される。
【００４２】
本明細書中の一実施形態によれば、スキャナユニットは、セキュリティのために小包のＲＦＩＤタグ及び各ドアに登録されている１人以上のユーザの生体データを走査するために構成される。
【００４３】
本明細書中の一実施形態によれば、１つ以上のセンサはドア周囲の複数のパラメータを検知するために構成され、複数のパラメータは、ドア近傍の動き検出、ドアに近接して存在するスマートフォンのＩＭＥＩ番号、煙、及び火災を含む。
【００４４】
本明細書中の一実施形態によれば、電源ユニットは、１つ以上の充電式バッテリを用いてドアの操作に必要とされる十分な電力を供給するために構成される。
【００４５】
本明細書中の一実施形態によれば、システムは、電子キーの検証成功時にドアを介するキーレスエントリを提供する。
【００４６】
本明細書中の一実施形態によれば、システムは、更に、１つ以上のコンパートメントの拡張及び収縮のための１つ以上の多段アクチュエータ及び支持ガイドを備える。各コンパートメントの拡張及び収縮のために用いられる動力源は手動又は電動のいずれか一方である。
【００４７】
本明細書中の一実施形態によれば、防犯ドア内に設けられる１つ以上のコンパートメントは、異なる大きさ及び重さの１つ以上の荷物を収容するために容量においてカスタマイズ可能である。
【００４８】
本明細書中の一実施形態によれば、システムは１つ以上の外部のモノのインターネット（ＩＯＴ）装置をシステムと接続するためのポータル又はプラットフォームを備え、１つ以上の外部ＩＯＴ装置は、カメラ、１つ以上のセンサ、通信モジュールを備える。
【００４９】
本明細書中の一実施形態によれば、１つ以上のコンパートメントは、任意に、高温又は冷蔵製品を保管するための高温及び低温ボックスをそれぞれ備える。
【００５０】
本明細書中の一実施形態によれば、システムは、更に、ユーザのスマートフォンにインストールするモバイルアプリケーションを提供するために構成され、モバイルアプリケーションは、ユーザが遠隔で荷物配達又は集荷行動を追跡することを可能にするため、１つ以上のＩＯＴ装置から取得される情報を閲覧するため、ユーザを追加／削除すること等の管理行動のため、及びセキュリティ保護された電子キーを制御ユニットと交換するために構成される。
【００５１】
本明細書中の一実施形態によれば、システムは、更に、ユーザが防犯ドアを介して建物にアクセスするため及び１つ以上のコンパートメントの使用のために、所定期間、他のユーザとセキュリティ保護された電子キーを共有することを可能にするために構成される。
【００５２】
本明細書中の一実施形態によれば、ユーザに提供されるモバイルアプリケーションは、ユーザが遠隔地からワイヤレスに防犯ドア又は個々のコンパートメントを施錠又は解錠することを可能にするために構成される。
【００５３】
本明細書中の一実施形態によれば、システムは、更に、追加の特徴を提供し、セキュリティオプションを強化するようユーザが制御ユニットのソフトウェアを遠隔で更新することを可能にするために構成される。
【００５４】
特定の実施形態の前述の説明は、他者が、現在の知識を適用することによって、一般的概念から逸脱することなく、かかる特定の実施形態を様々な用途のために容易に修正及び／又は適応できる本明細書中の実施形態の一般的性質をこのように完全に明らかにしており、従って、かかる適応及び修正は、開示する実施形態の均等物の意味及び範囲内で理解されるべきであり、理解されることを意図している。
【００５５】
他の目的、特徴、及び利点は、好ましい実施形態の以下の説明及び添付図面から当業者に思い付くであろう。
【図面の簡単な説明】
【００５６】
【図１Ａ】図１Ａは、本明細書中の一実施形態による、セキュリティ保護された荷物配達及び引取システムのブロック図を示す。
【図１Ｂ】図１Ｂは、本明細書中の一実施形態による、セキュアドア内に設けられる電子ユニットのブロック図を示す。
【図２】図２は、本明細書中の一実施形態による、複数の保管コンパートメント／容器と固定される防犯ドアの側面斜視図を示す。
【図３】図３は、本明細書中の一実施形態による、拡張状態での１つ以上の保管コンパートメント／容器を有する防犯ドアの背面斜視図を示す。
【図４Ａ−４Ｂ】図４Ａ及び図４Ｂは、本明細書中の一実施形態による、それぞれ拡張及び折り畳み状態での１つ以上の保管コンパートメント／容器を有する防犯ドアの側面図を示す。
【図５】図５は、本明細書中の一実施形態による、収縮状態での１つ以上の保管コンパートメント／容器を有する防犯ドアの背面図を示す。
【図６Ａ−６Ｂ】図６Ａ及び図６Ｂは、本明細書中の一実施形態による、複数の保管コンパートメント／容器と固定される防犯ドアの正面図及び背面図を示す。
【図７Ａ−７Ｂ】図７Ａ及び図７Ｂは、本明細書中の一実施形態による、生体センサを備えるハンドルを有する防犯ドアの正面図並びに生体センサを備えるハンドルの拡大及び誇張図をそれぞれ示す。
【図８】図８は、本明細書中の一実施形態による、電子ユニット及びロッキングシステムと固定される防犯ドアの背面図を示す。
【発明を実施するための形態】
【００５７】
本明細書中の実施形態の特定の特徴を幾つかの図面において示すが、他では示さない。各特徴は本明細書中の実施形態に従って他の特徴のいずれか又は全てと組み合わされる可能性があるため、これは便宜のためだけに行う。
【００５８】
以下の詳細な説明において、その一部を形成する添付図面に対して参照を行い、実施される可能性のある特定の実施形態を例示するために示す。これらの実施形態を、当業者が実施形態を実施することが可能であるよう、十分詳細に説明し、論理、機械的、及び他の変更が実施形態の適用範囲から逸脱することなく行われてもよいことは言うまでもない。以下の詳細な説明は、従って、限定する意味で理解すべきではない。
【００５９】
本明細書中の様々な実施形態はセキュア荷物配達及び引取システムを提供する。システムはフレームを備える防犯ドアを備える。フレームは建物の任意の堅い表面に取り付けるために構成される。防犯ドアはユーザの検証成功後に建物へのアクセスを提供するために構成される。防犯ドアはフレームに取り付けられる１つ以上の折り畳み式コンパートメントを備える。各折り畳み式コンパートメントは配達又は返送集荷に向けられた、１つ以上の荷物を収容するために構成される。各コンパートメントは１つ以上の荷物を収容するよう伸縮式に互いへ摺動するよう設計された開口端を有する一連の四面金属製又は木製ボックスを備える。コンパートメントの両開口端は、それぞれ、１つ以上の荷物の配達及び受け取りのためにコンパートメントドアを用いてセキュリティ保護されている。一連の四面金属製又は木製ボックスは、コンパートメントの最大保管サイズを達成するようフレームの長さと垂直方向に延在するため、及び、コンパートメントの最小サイズを達成するよう互いの内部に収縮するために構成される。各折り畳み式コンパートメントは、延在及び折り畳み状態においてコンパートメントへ強度及び支持を提供するためのコンパートメントの外側の外部フランジ及びコンパートメントの内側の内部フランジを備える。防犯ドアは、更に、フレーム上に取り付けられる電子ユニットを備える。電子ユニットは、無人の場所において１つ以上の荷物の安全な配達又は返送集荷のために１つ以上のコンパートメントの操作を電子的に制御するために構成される。
【００６０】
本明細書中の一実施形態によれば、システムは、更に、防犯ドア及び防犯ドアに設けられる１つ以上のコンパートメントを操作するためにシステムに１人以上のユーザを登録するために構成される登録モジュールを備えるクラウドベースサーバを備える。１人以上のユーザは、複数のユーザ詳細及び各ユーザに関連する１つ以上のスマートフォンの詳細を提供することによってシステムに登録される。１つ以上のユーザ詳細は、氏名、住所、連絡先番号、及び生体データを備える。サーバは、また、複数のユーザ詳細、システムに登録される各ユーザに関連する１つ以上のスマートフォンの詳細、及びセキュリティ保護されたドアのＧＰＳ座標を格納するために構成される格納ユニットも備える。サーバは、更に、適切なコンパートメントへの１つ以上の荷物の配達及び引取行動を追跡するために構成される追跡モジュールを備える。サーバは、また更に、コンパートメントドアを操作するためにユーザと配達人との間で交換するための電子キーを生成するために構成される電子キー生成モジュールを備える。サーバは、また更に、荷物の成功した配達又は引取時に１人以上のユーザへ自動通知を送信するために構成される通知モジュールを備える。
【００６１】
本明細書中の一実施形態によれば、電子ユニットは、制御ユニット、トランシーバユニット、デジタルディスプレイ、１つ以上のカメラ、スキャナユニット、１つ以上のセンサ、及び電源ユニットを備える。
【００６２】
本明細書中の一実施形態によれば、トランシーバユニットは、ドア又は個々のコンパートメントを操作するためのサーバにより検証するようユーザによって入力された電子キーを伝送するために構成される。トランシーバユニットは、更に、１つ以上のセンサを用いて取得した情報を伝送するために構成される。
【００６３】
本明細書中の一実施形態によれば、制御ユニットは、セキュア電子キーの検証成功時に適切なコンパートメントドアの開閉操作を制御するために構成される。
【００６４】
本明細書中の一実施形態によれば、デジタルディスプレイは、ユーザによって記録されたビデオメッセージを適切な配達人へ表示する、又はその逆のために構成される。
【００６５】
本明細書中の一実施形態によれば、１つ以上のカメラは、セキュリティのために１日のうちの任意の時間の間、モーションセンサを用いて任意の動きを検出する時、防犯ドア近傍の行動を記録するために構成される。
【００６６】
本明細書中の一実施形態によれば、スキャナユニットは、セキュリティのために小包のＲＦＩＤタグ及び各ドアに登録されている１人以上のユーザの生体データを走査するために構成される。
【００６７】
本明細書中の一実施形態によれば、１つ以上のセンサはドア周囲の複数のパラメータを検知するために構成され、複数のパラメータは、ドア近傍の動き検出、ドアに近接して存在するスマートフォンのＩＭＥＩ番号、煙、及び火災を含む。
【００６８】
本明細書中の一実施形態によれば、電源ユニットは、１つ以上の充電式バッテリを用いてドアの操作に必要とされる十分な電力を供給するために構成される。
【００６９】
本明細書中の一実施形態によれば、システムは、電子キーの検証成功時にドアを介するキーレスエントリを提供する。
【００７０】
本明細書中の一実施形態によれば、システムは、更に、１つ以上のコンパートメントの拡張及び収縮のための１つ以上の多段アクチュエータ及び支持ガイドを備える。各コンパートメントの拡張及び収縮のために用いられる動力源は手動又は電動のいずれか一方である。
【００７１】
本明細書中の一実施形態によれば、防犯ドア内に設けられる１つ以上のコンパートメントは、異なる大きさ及び重さの１つ以上の荷物を収容するために容量においてカスタマイズ可能である。
【００７２】
本明細書中の一実施形態によれば、システムは１つ以上の外部のモノのインターネット（ＩＯＴ）装置をシステムと接続するためのポータル又はプラットフォームを備え、１つ以上の外部ＩＯＴ装置は、カメラ、１つ以上のセンサ、通信モジュールを備える。
【００７３】
本明細書中の一実施形態によれば、１つ以上のコンパートメントは、任意に、高温又は冷蔵製品を保管するための高温及び低温ボックスをそれぞれ備える。
【００７４】
本明細書中の一実施形態によれば、システムは、更に、ユーザのスマートフォンにインストールするモバイルアプリケーションを提供するために構成され、モバイルアプリケーションは、ユーザが遠隔で荷物配達又は集荷行動を追跡することを可能にするため、１つ以上のＩＯＴ装置から取得される情報を閲覧するため、ユーザを追加／削除すること等の管理行動のため、及びセキュリティ保護された電子キーを制御ユニットと交換するために構成される。
【００７５】
本明細書中の一実施形態によれば、システムは、更に、ユーザが防犯ドアを介して建物にアクセスするため及び１つ以上のコンパートメントの使用のために、所定期間、他のユーザとセキュリティ保護された電子キーを共有することを可能にするために構成される。
【００７６】
本明細書中の一実施形態によれば、ユーザに提供されるモバイルアプリケーションは、ユーザが遠隔地からワイヤレスに防犯ドア又は個々のコンパートメントを施錠又は解錠することを可能にするために構成される。
【００７７】
本明細書中の一実施形態によれば、システムは、更に、追加の特徴を提供し、セキュリティオプションを強化するようユーザが制御ユニットのソフトウェアを遠隔で更新することを可能にするために構成される。
【００７８】
図１Ａは、本明細書中の一実施形態によるセキュア荷物配達及び引取システムのブロック図を示している。図１Ａに関して、システムは、セキュアドア１０２、１つ以上の保管コンパートメント１０４、電子ユニット１０６、及びクラウドベースのサーバ１０８を備えている。セキュアドア１０２は、建物の任意の堅い表面に取り付けるために構成されるフレーム１１０を備えている。セキュアドア１０２は、ユーザの検証成功後に建物へのアクセスを提供するために構成される。
【００７９】
本明細書中の一実施形態によれば、システムは、電子キーの検証成功時にセキュアドア１０２を介するキーレスエントリを提供する。１つ以上の折り畳み式保管コンパートメント１０４がセキュアドア１０２のフレーム１１０に取り付けられる。各折り畳み式コンパートメント１０４は、配達又は返送集荷に向けられた、１つ以上の荷物（図示せず）を収容するために構成される。１つ以上の保管コンパートメント１０４は、ユーザ要件に基づいて、大きさ及び容量においてカスタマイズ可能である。
【００８０】
一実施形態によれば、各保管コンパートメントドア（内側及び外側）は、ユーザ又は配達人がドアを保持し、操作するためのハンドルを備えている。１つ以上のコンパートメントは、受取人（入荷又は出荷のいずれか一方）が品物／荷物を取り出すような時まで、安全な保管のために内側に載置される多種多様の品物を収容する方法で設計されている。多種多様の品物は、荷物、食料雑貨品、食品、高温又は低温製品、ドライクリーニング、或いは１組のキー、封筒、又は処方薬等のような単品でさえも含むが、これらに限定されない。
【００８１】
本明細書中の一実施形態によれば、クラウドベースサーバは、登録モジュール１１２、追跡モジュール１１４、格納モジュール１１６、電子キー生成モジュール１１８、通知生成モジュール１２０、及びプロセッサ１２２を備える。登録モジュール１１２は、セキュアドア１０２を操作するためにシステムに１人以上のユーザを登録するために構成される。１人以上のユーザは、複数のユーザ詳細及び各ユーザに関連する１つ以上のスマートフォンの詳細を用いてシステムに登録される。１つ以上のユーザ詳細は、氏名、住所、連絡先番号、及び生体データ等を含む。追跡モジュール１１４は、適切な保管コンパートメント１０４への１つ以上の荷物の配達及び引取行動を追跡するために構成される。格納モジュール１１６は、複数のユーザ詳細、システムに登録された各ユーザに関連する１つ以上のスマートフォンの詳細、及びセキュアドア１０２のＧＰＳ座標を格納するために構成される。電子キー生成モジュール１１８は、コンパートメントドアを操作するためにユーザと配達人との間で交換するための電子キーの生成のために構成される。通知生成モジュール１２０は、荷物の成功した配達又は引取時に１人以上のユーザへ自動通知を送信するために構成される。プロセッサ１２２は、他のモジュールから受信する要求を処理するために構成され、格納モジュール１１６と相互に作用する。
【００８２】
本明細書中の一実施形態によれば、電子ユニット１０６がフレーム１１０上に取り付けられる。電子ユニットは、無人の場所において１つ以上の荷物の安全な配達又は返送集荷のために１つ以上のコンパートメント１０４の操作を電子的に制御するために構成される。電子ユニット１０６は、ユーザの要件に則ってセキュアドア上の任意の便利な場所に取り付けられる。
【００８３】
図１Ｂは、本明細書中の一実施形態によるセキュアドア内に設けられる電子ユニットのブロック図を示している。図１Ｂに関して、電子ユニット１０６は、制御ユニット１２４、トランシーバユニット１２６、デジタルディスプレイ１２８、１つ以上のカメラ１３０、スキャナユニット１３２、１つ以上のセンサ１３４、及び電源ユニット１３６を備える。トランシーバユニット１２６は、セキュアドア１０２又は個々のコンパートメント１０４を操作するためのサーバにより検証するようユーザによって入力された電子キーを伝送するために構成される。トランシーバユニット１２６は、更に、１つ以上のセンサ１３４を用いて取得した情報を伝送するために構成される。制御ユニット１２４は、セキュア電子キーの検証成功時に適切なコンパートメントドアの開閉操作を制御するために構成される。デジタルディスプレイ１２８は、ユーザによって記録されたビデオメッセージを適切な配達人へ表示する、又はその逆のために構成される。１つ以上のカメラ１３０（例えば、ＨＤ及び暗視カメラ）は、セキュリティのために１日のうちの任意の時間、モーションセンサを用いて任意の動きを検出する時にセキュアドア１０２近傍の行動を記録するために構成される。これは、セキュアドア近傍の任意の不審者又は行動を検出するために行われる。行動は、かかる個人が、彼らが追跡されていることに気付かない間に捕捉される。スキャナユニット１３２は、セキュリティのために小包／荷物のＲＦＩＤタグ及び各セキュアドアに登録されている１人以上のユーザの生体データを走査するために構成される。１つ以上のセンサ１３４は、セキュアドア１２０周囲の複数のパラメータを検知するために構成される。複数のパラメータは、セキュアドア近傍の動き検出、セキュアドアに近接して存在するスマートフォンのＩＭＥＩ番号、煙、及び火災を含む。電源ユニット１３６は、１つ以上の充電式バッテリを用いてセキュアドア１０２の操作に必要とされる十分な電力を供給するために構成される。一実施例において、リチウムイオンバッテリ誘導電力供給が用いられる。
【００８４】
図２は、本明細書中の一実施形態による複数の保管コンパートメント／容器と固定される防犯ドアの側面斜視図を示している。図２に関して、各コンパートメント１０４は、１つ以上の荷物を収容するよう伸縮式に互いへ摺動するよう設計された開口端を有する一連の四面金属製ボックス２０２を備える。コンパートメント１０４の両開口端は、それぞれ、１つ以上の荷物の配達及び受け取りのためにコンパートメントドア２０４、２０６を用いてセキュリティ保護されている。一連の四面金属製ボックス２０２は、コンパートメントの最大保管サイズを達成するようフレーム１１０の長さと垂直方向に延在するため、及び、コンパートメントの最小サイズを達成するよう互いの内部に収縮するために構成される。
【００８５】
本明細書中の一実施形態によれば、１つ以上の保管コンパートメント１０４は、任意に、高温又は冷蔵製品の安全な保存のための高温及び低温ボックスをそれぞれ備える。各折り畳み式保管コンパートメント１０４は、延在及び折り畳み状態においてコンパートメントへ強度及び支持を提供するためのコンパートメントの外側の外部フランジ２０８（９０度）及びコンパートメントの内側の内部フランジ（９０度）を備える。外部及び内部フランジは、また、フレーム１１０の長さの垂直方向にも取り付けられる。
【００８６】
本明細書中の一実施形態によれば、セキュアドアは、壁、フェンス、又は様々な他の下地材及び構造に容易に設置される。設置プロセスは、ユーザ、便利屋、又は任意の局所的に訓練を受けた者のいずれか一者によって行われる。セキュアドアは、スチール、ガラス繊維、木、メゾナイト、及び更にガラスドアシステムのあらゆる種類を含む外部ドア部門における業界標準の材料から製造される。１つ以上のコンパートメントの製造のために用いられる材料は、スチール、金属、アルミニウム、プラスチック、炭素繊維、及び載置される品物の重さ及び嵩を適切に支持する任意の適切な下地材料を含むが、これらに限定されない。
【００８７】
本明細書中の一実施形態によれば、個々のコンパートメントは建物の各種外部又は内側壁システム、窓空洞、又はゲートシステム内に設置され、ドアに組み込まれる必要はない。更に、かかるコンパートメントと組み合わされる電子ユニットは、コンパートメントの拡張及び収縮を可能にする操作及び通信システムを提供する。ユーザは配達が首尾よく行われたことについて通知され、並びに、ユーザと配達人／業者との間の双方向通信が確立される。
【００８８】
図３は、本明細書中の一実施形態による拡張状態での１つ以上の保管コンパートメント／容器を有する防犯ドアの背面斜視図を示している。図３に関して、全ての保管コンパートメント１０４の内側ドア２０６が示されている。ユーザは荷物の受け取り又は返送のために個別に内側ドア２０６を操作する。内側ドア２０６は、また、セキュア電子キーを用いるユーザによって操作される。
【００８９】
図４Ａ及び図４Ｂは、本明細書中の一実施形態による、それぞれ拡張及び折り畳み状態での１つ以上の保管コンパートメント／容器を有する防犯ドアの側面図を示している。図４に関して、１つ以上の保管コンパートメント１０４がそれぞれ拡張（４０２）及び収縮状態（４０４）で示されている。システムは１つ以上のコンパートメントの拡張及び収縮のための１つ以上の多段アクチュエータ（図示せず）及び支持ガイド（図示せず）を備える。
【００９０】
本明細書中の一実施形態によれば、シザーヒンジ及び支持ロッドがリニアアクチュエータと組み合わせて拡張及び収縮操作を達成するために用いられる。シザーヒンジ及び支持ロッドは移動及び静止位置の経路中の線形支持を提供する。内側ヒンジ基部は、完全な拡張が達成されると、品物／荷物の載置のための支持を提供する。各コンパートメントの拡張及び収縮のために用いられる動力源は手動又は電動のいずれか一方である。
【００９１】
本明細書中の一実施形態によれば、側壁及び／又はベローが各コンパートメントの拡張及び収縮を操作する内側構成部品の外側の覆いとして利用される。
【００９２】
本明細書中の一実施形態によれば、１つ以上の保管コンパートメントの手動操作はバネ及びヒンジを含み、電動モータ又はリニアアクチュエータを必要としない別個の設計を介して達成される。
【００９３】
図５は、本明細書中の一実施形態による収縮状態での１つ以上の保管コンパートメント／容器を有する防犯ドアの背面図を示している。図５に関して、全てのコンパートメントが収縮状態にあるセキュアドア１０２の背面図が示されている。
【００９４】
図６Ａ及び図６Ｂは、本明細書中の一実施形態による複数の保管コンパートメント／容器と固定される防犯ドアの正面図及び背面図を示している。図６Ａ及び図６Ｂに関して、防犯ドアは可変サイズの４つの折り畳み式保管コンパートメントを備える。
【００９５】
図７Ａ及び図７Ｂは、本明細書中の一実施形態による、生体センサを備えるハンドルを有する防犯ドアの正面図並びに生体センサを備えるハンドルの拡大及び誇張図をそれぞれ示している。図７Ａ及び図７Ｂに関して、セキュアドア内の１つ以上のコンパートメントを操作するために設けられたハンドルは、ドアを操作する配達人の生体データを取得するよう生体センサを備える。
【００９６】
図８は、本明細書中の一実施形態による、電子ユニット及びロッキングシステムと固定される防犯ドアの背面図を示している。図８に関して、視聴覚ユニット８０６、ディスプレイユニット８０８、及びロッキング機構８１０が示されている。
【００９７】
本明細書中の一実施形態によれば、システムは、サイト上及びリモートアクセスによるプログラム可能及び手動の緊急連絡、通知、及び様々な他の制御オプションを提供するために、１つ以上の外部ＩＯＴ装置をシステムと接続するためのモノのインターネット（ＩＯＴ）拡張可能プラットフォームを備える。１つ以上の外部ＩＯＴ装置はワイヤレス外側及び内側カメラ、１つ以上のセンサ（ドア及び窓センサ、煙及び火災センサ等）、通信モジュール等を備える。
【００９８】
本明細書中の一実施形態によれば、システムは、更に、ユーザのスマートフォンにインストールするためのモバイルアプリケーションを提供するために構成される。モバイルアプリケーションは、ユーザが遠隔で荷物配達又は集荷行動を追跡することを可能にするため、ユーザを追加／削除すること等の管理行動のために１つ以上のＩＯＴ装置から取得された情報を閲覧するため、及びセキュア電子キーを制御ユニットと交換するために構成される。ユーザに提供されるモバイルアプリケーションは、ユーザが遠隔地からワイヤレスにセキュアドア又は個々のコンパートメントを施錠又は解錠することを可能にするために構成される。システムは、更に、追加の特徴を提供し、セキュリティオプションを強化するようユーザが制御ユニットのソフトウェアを遠隔で更新することを可能にするために構成される。システムは、更に、ユーザがセキュアドアを介して建物にアクセスするため及び１つ以上のコンパートメントの使用のために、所定期間、他のユーザとセキュア電子キーを共有することを可能にするために構成される。セキュアドアのアクセスを与えられている全てのユーザは、彼らのスマートフォンの識別ＥＶＩＥＩ番号がサーバストレージを介して登録され、アーカイブされており、全ての行動は追跡され、取得される。
【００９９】
本明細書中の一実施形態によれば、セキュアドアの正確なＧＰＳ座標がシステムに登録される。この情報は、間違った又は追跡不可能な住所又は場所の可能性がないよう適時配達を可能にするために電子キー毎に配達人と共有される。
【０１００】
従って、セキュア荷物配達及び引取システムは、モジュラープラットフォームを用いて、荷物の受け取り及び発送を容易で、単純にする。システムは、双方向ＨＤ及び暗視カメラの及び通信システム；キーレスエントリシステム；ワイヤレス電源システム、ＩＯＴ拡張可能プラットフォーム等を含む。システムは、任意の大きさ及び重さの荷物を収容するよう、一体型電子セキュアドア構成、大きさ、及びオプションの幅広い選択を提供する。
【０１０１】
システムは設置するのが容易であり、盗難又は気象条件による損害から荷物の最高の保護を提供する。幾つかの安全対策（ＲＦＩＤ、生体データ、電子キー交換、モバイルＥＶＩＥＩ識別等のような）が荷物の配達及び引取のために考慮されているため、システムは高度に安全である。
【０１０２】
特定の実施形態の前述の説明は、他者が、現在の知識を適用することによって、一般的概念から逸脱することなく、かかる特定の実施形態を様々な用途のために容易に修正及び／又は適応できる本明細書中の実施形態の一般的性質をこのように完全に明らかにしており、従って、かかる適応及び修正は、開示する実施形態の均等物の意味及び範囲内で理解されるべきであり、理解されることを意図している。本明細書中で用いる表現又は用語は説明のためのものであり、制限するものではないことは言うまでもない。従って、本明細書中の実施形態は好ましい実施形態の観点から説明してきたが、当業者は、本明細書中の実施形態が添付特許請求の範囲の精神及び適用範囲内の修正と共に実施できることを、正しく認識するであろう。
【０１０３】
本明細書中の実施形態を様々な特定の実施形態と共に説明したが、当業者にとって、発明を修正と共に実施することは明白である。しかし、全てのかかる修正は特許請求の範囲の適用範囲内にあると見なされる。
【０１０４】
また、以下の特許請求の範囲は、本明細書中で説明した実施形態の一般的及び特定の特徴の全て、並びに言語の問題としてそれらの間に含まれる可能性がある実施形態の適用範囲の記載の全てを網羅することを意図していることは言うまでもない。
【図１Ａ】
2019531844.tif 000003
【図１Ｂ】
2019531844.tif 000004
【図２】
2019531844.tif 000005
【図３】
2019531844.tif 000006
【図４Ａ−４Ｂ】
2019531844.tif 000007
【図５】
2019531844.tif 000008
【図６Ａ−６Ｂ】
2019531844.tif 000009
【図７Ａ−７Ｂ】
2019531844.tif 000010
【図８】
2019531844.tif 000011
【国際調査報告】
2019531844.tif 000012
2019531844.tif 000013